(57)【特許請求の範囲】
【請求項１】
湯沸しおよび魔法瓶保温が可能な断熱構造の内容器と、該内容器内の湯の保温温度を設定する保温温度設定手段と、通常保温時において上記内容器を加熱する保温加熱手段と、通常保温時および魔法瓶保温時において上記内容器の底部を介して上記内容器内の湯温を検出する湯温検出手段と、通常保温時および魔法瓶保温時において上記湯温検出手段で検出された内容器内の湯温を表示する湯温表示手段と、上記内容器の通常保温状態と魔法瓶保温状態とを任意に選択することができる保温選択手段とを備え、通常保温状態から魔法瓶保温状態に移行した時には、上記湯温表示手段の湯温表示用の閾値を高い状態から低い状態に、また魔法瓶保温状態から通常保温状態に移行した時には、同閾値を低い状態から高い状態に、それぞれ変更するようにしたことを特徴とする電気ポット。
【請求項２】
湯沸しおよび魔法瓶保温が可能な断熱構造の内容器と、該内容器内の湯の保温温度を設定する保温温度設定手段と、通常保温時において上記内容器を加熱する保温加熱手段と、通常保温時および魔法瓶保温時において上記内容器の底部を介して上記内容器内の湯温を検出する湯温検出手段と、通常保温時および魔法瓶保温時において上記湯温検出手段で検出された内容器内の湯温を表示する湯温表示手段と、上記内容器の通常保温状態と魔法瓶保温状態とを任意に選択することができる保温選択手段とを備え、上記湯温表示手段の湯温表示用の閾値を上記通常保温時と上記魔法瓶保温時とで異ならせてなる電気ポットであって、上記保温選択手段により、上記内容器の保温状態が通常保温状態から魔法瓶保温状態に切換えられた時には、同切換時から所定時間内は、上記湯温表示手段が当該切換前の通常保温状態における保温温度を表示するようにしたことを特徴とする電気ポット。
【請求項３】
湯沸しおよび魔法瓶保温が可能な断熱構造の内容器と、該内容器内の湯の保温温度を設定する保温温度設定手段と、通常保温時において上記内容器を加熱する保温加熱手段と、通常保温時および魔法瓶保温時において上記内容器の底部を介して上記内容器内の湯温を検出する湯温検出手段と、通常保温時および魔法瓶保温時において上記湯温検出手段で検出された内容器内の湯温を表示する湯温表示手段と、上記内容器の通常保温状態と魔法瓶保温状態とを任意に選択することができる保温選択手段とを備え、上記湯温表示手段の湯温表示用の閾値を上記通常保温時と上記魔法瓶保温時とで異ならせてなる電気ポットであって、上記保温選択手段により、上記内容器の保温状態が魔法瓶保温状態から通常保温状態に切換えられた時には、同切換時から所定時間内は、上記湯温表示手段が当該切換前の魔法瓶保温状態における保温温度を表示するようにしたことを特徴とする電気ポット。
【請求項４】
湯沸しおよび魔法瓶保温が可能な断熱構造の内容器と、該内容器内の湯の保温温度を設定する保温温度設定手段と、通常保温時において上記内容器を加熱する保温加熱手段と、通常保温時および魔法瓶保温時において上記内容器の底部を介して上記内容器内の湯温を検出する湯温検出手段と、通常保温時および魔法瓶保温時において上記湯温検出手段で検出された内容器内の湯温を表示する湯温表示手段と、上記内容器の通常保温状態と魔法瓶保温状態とを任意に選択することができる保温選択手段とを備え、上記湯温表示手段の湯温表示用の閾値を上記通常保温時と上記魔法瓶保温時とで異ならせてなる電気ポットであって、上記保温選択手段により、上記内容器の保温状態が通常保温状態から魔法瓶保温状態に切換えられた時には、同切換時から上記湯温検出手段により検出される湯温が当該新たな魔法瓶保温状態の湯温表示用の閾値を越えるまでの間は、上記湯温表示手段が当該切換前の通常保温状態における保温温度を表示するようにしたことを特徴とする電気ポット。
【請求項５】
湯沸しおよび魔法瓶保温が可能な断熱構造の内容器と、該内容器内の湯の保温温度を設定する保温温度設定手段と、通常保温時において上記内容器を加熱する保温加熱手段と、通常保温時および魔法瓶保温時において上記内容器の底部を介して上記内容器内の湯温を検出する湯温検出手段と、通常保温時および魔法瓶保温時において上記湯温検出手段で検出された内容器内の湯温を表示する湯温表示手段と、上記内容器の通常保温状態と魔法瓶保温状態とを任意に選択することができる保温選択手段とを備え、上記湯温表示手段の湯温表示用の閾値を上記通常保温時と上記魔法瓶保温時とで異ならせてなる電気ポットであって、上記保温選択手段により、上記内容器の保温状態が魔法瓶保温状態から通常保温状態に切換えられた時には、同切換時から上記湯温検出手段により検出される湯温が当該新たな通常保温状態の湯温表示用の閾値を越えるまでの間は、上記湯温表示手段が当該切換前の魔法瓶保温状態における保温温度を表示するようにしたことを特徴とする電気ポット。
【発明の詳細な説明】
【０００２】
【発明の属する技術分野】
【０００３】
本願発明は、湯温表示機能を備え、保温時の湯温を表示するようにした電気ポットに関するものである。
【従来の技術】
【０００４】
最近の電気ポットでは湯温表示機能を備え、特に保温中における湯温を所定の湯温表示部に表示するようにしたものがある。
【０００５】
該構成の電気ポットは、例えば湯沸しを終えてブザーによる「沸とう報知」を行った後に、湯沸ヒータをＯＦＦにして保温状態に移行し、以後は保温ヒータを制御してユーザーにより設定された所定の設定保温温度（例えばカップ麺等用高温保温温度９８℃、コーヒー、紅茶等用低温保温温度９０℃など）に維持するようになっている。
【０００６】
そして、その場合に、例えば内容器の底部裏面側等に設けられた底センサ（サーミスタ）を使用して、内容器内の湯の温度を検出し、液晶パネル等よりなる所定の湯温表示部に表示するようになっている。
【０００７】
これは、例えば上記内容器を保温性能の高い真空２重壁構造等断熱構造のものとし、上記通常保温時の保温ヒータの消費電力を可及的に小さくするようにした省エネ保温および保温ヒータそのものをもＯＦＦにするようにした魔法瓶保温をそれぞれ可能にしたものの場合にも同様である。
【発明が解決しようとする課題】
【０００８】
ところで、後者のような通常保温と魔法瓶保温とを可能とした電気ポットの場合、上記保温ヒータがＯＦＦの魔法瓶保温時、自然対流により内容器内の湯温分布が上下方向の位置によって相当に異なってくるにも拘わらず、一般に湯温検出手段である底センサは、当該内容器底部の低い湯温を検出しているために、当該検出された湯温は実際の内容器内の平均湯温よりも低くなる。
【０００９】
したがって、これをそのまま表示すると、内容器内の実際の湯温よりも低い温度が表示され、ユーザーは当該魔法瓶保温時の保温性能自体に疑念を感じる問題がある。
【００１０】
そこで、先ず本願発明者は、この問題を解決するために、例えば図６に示すように、上記通常保温時と魔法瓶保温時とで保温温度表示のための閾値を変えるようにし、上記のような魔法瓶保温時には、上記通常保温時に比べて保温温度表示のための閾値を下げて所定温度高く表示するようにすることを考えた。そのようにすると、魔法瓶保温の場合にも、実際の湯温に近い適正な湯温を表示することができる。
【００１１】
これら２種の閾値の関係は、例えば図７のテーブルに示されるように、１０℃レベルから１００℃までの範囲で、底センサの検出特性を考慮して設定される。
【００１２】
一方、上記のように通常保温時と魔法瓶保温時とで、保温温度を表示するための閾値を異ならせるようにすると、保温ヒータがＯＮの通常保温状態（保温選択スイッチにより上述した９８℃と９０℃の２つの設定保温温度の選択が可能）から魔法瓶保温状態に移行した場合、湯温表示の閾値が高い方から低い方に変わるために、表示される湯温が上昇し、また魔法瓶保温状態から通常保温状態に切り換えられると、その逆に湯温表示の閾値が低い方から高い方に変わり、表示される湯温が低下する新たな問題が生じる。
【００１３】
今例えば、図６に示すように、上記底センサによって検出される湯温Ｔが９６℃であるとすると、この状態は、通常保温状態では上記９８℃，９０℃何れの設定保温温度の場合にも表示温度幅９５℃の範囲内にあるので、保温温度は９５℃と表示される。
【００１４】
ところが、この状態（例えば設定保温温度は９８℃の状態とする）から保温選択スイッチが、設定保温温度９０℃を経て魔法瓶保温状態に切り換えられたとすると、実際に検出された湯温Ｔは上記９６℃であるにも拘わらず、湯温表示部に表示される保温温度は９５℃→９５℃→９８℃となる。
【００１５】
また、逆に同魔法瓶保温状態（９８℃表示）から、順次９８℃，９０℃の通常保温状態に切換えられたとすると、保温温度の表示は、上記とは逆に９８℃→９５℃→９５℃となり、本来保温ヒータがＯＮになり、湯温が上昇する筈なのに表示温度としては低下することになる。
【００１６】
その結果、上記通常保温状態から魔法瓶保温状態、またその逆の状態の何れの切換時にも実際の湯温と異なる表示湯温の変化を招いてユーザーが違和感を感じ、特に本来保温ヒータがＯＮになり、湯温が上昇する筈なのに表示温度が急に低下する後者の場合には、さらに当該電気ポットの保温性能自体に疑念を抱かせる難点がある。
【００１７】
本願発明は、以上のような各問題を解決するためになされたもので、上述のような通常保温と魔法瓶保温何れの場合にも適正な湯温の表示が可能で、しかもそれら相互の移行時の場合にも適切な湯温の連続性を持たせて、違和感なく表示できるようにした電気ポットを提供することを目的とするものである。
【課題を解決するための手段】
【００１８】
本願発明は、上記の目的を達成するために、それぞれ次のような課題解決手段を備えて構成されている。
【００１９】
（１）  請求項１の発明
この発明の電気ポットは、湯沸しおよび魔法瓶保温が可能な断熱構造の内容器と、該内容器内の湯の保温温度を設定する保温温度設定手段と、通常保温時において上記内容器を加熱する保温加熱手段と、通常保温時および魔法瓶保温時において上記内容器の底部を介して上記内容器内の湯温を検出する湯温検出手段と、通常保温時および魔法瓶保温時において上記湯温検出手段で検出された内容器内の湯温を表示する湯温表示手段と、上記内容器の通常保温状態と魔法瓶保温状態とを任意に選択することができる保温選択手段とを備え、通常保温状態から魔法瓶保温状態に移行した時には、上記湯温表示手段の湯温表示用の閾値を高い状態から低い状態に、また魔法瓶保温状態から通常保温状態に移行した時には、同閾値を低い状態から高い状態に、それぞれ変更するようにしたことを特徴としている。
【００２０】
したがって、このような構成では、通常保温状態から魔法瓶保温状態に移行した時には、保温温度表示のための閾値が高い状態から低い状態に適切に変更され、湯温検出手段の検出値が所定値高く補正されて適切に表示される一方、魔法瓶保温状態から通常保温状態に移行した時には、同閾値が低い状態から高い状態に戻されて所定値低く表示されるようになり、通常保温および魔法瓶保温何れの場合にも、適切な保温温度の表示が可能となる。
【００２１】
その結果、魔法瓶保温時の保温性能に対する信頼性も確保される。
【００２２】
（２）  請求項２の発明
この発明の電気ポットは、湯沸しおよび魔法瓶保温が可能な断熱構造の内容器と、該内容器内の湯の保温温度を設定する保温温度設定手段と、通常保温時において上記内容器を加熱する保温加熱手段と、通常保温時および魔法瓶保温時において上記内容器の底部を介して上記内容器内の湯温を検出する湯温検出手段と、通常保温時および魔法瓶保温時において上記湯温検出手段で検出された内容器内の湯温を表示する湯温表示手段と、上記内容器の通常保温状態と魔法瓶保温状態とを任意に選択することができる保温選択手段とを備え、上記湯温表示手段の湯温表示用の閾値を上記通常保温時と上記魔法瓶保温時とで異ならせてなる電気ポットであって、上記保温選択手段により、上記内容器の保温状態が通常保温状態から魔法瓶保温状態に切換えられた時には、同切換時から所定時間内は、上記湯温表示手段が当該切換前の通常保温状態における保温温度を表示するようにしたことを特徴としている。
【００２３】
したがって、このような構成では、通常保温状態から魔法瓶保温状態に移行し、保温温度表示のための閾値が変更（高い状態から低い状態）になったとしても、直ちにではなく所定時間は、それまでの通常保温状態における保温温度が表示されるようになり、保温選択手段の上記通常保温から魔法瓶保温方向への切換操作の度に保温表示温度が上昇する違和感をなくすことができる。
【００２４】
（３）  請求項３の発明
この発明の電気ポットは、湯沸しおよび魔法瓶保温が可能な断熱構造の内容器と、該内容器内の湯の保温温度を設定する保温温度設定手段と、通常保温時において上記内容器を加熱する保温加熱手段と、通常保温時および魔法瓶保温時において上記内容器の底部を介して上記内容器内の湯温を検出する湯温検出手段と、通常保温時および魔法瓶保温時において上記湯温検出手段で検出された内容器内の湯温を表示する湯温表示手段と、上記内容器の通常保温状態と魔法瓶保温状態とを任意に選択することができる保温選択手段とを備え、上記湯温表示手段の湯温表示用の閾値を上記通常保温時と上記魔法瓶保温時とで異ならせてなる電気ポットであって、上記保温選択手段により、上記内容器の保温状態が魔法瓶保温状態から通常保温状態に切換えられた時には、同切換時から所定時間内は、上記湯温表示手段が当該切換前の魔法瓶保温状態における保温温度を表示するようにしたことを特徴としている。
【００２５】
したがって、このような構成では、魔法瓶保温状態から通常保温状態に移行し、保温温度表示のための閾値が変更（低い状態から高い状態）になったとしても、直ちにではなく所定時間は、それまでの魔法瓶保温状態における保温温度が表示されるようになり、保温選択手段の魔法瓶保温から通常保温方向への切換操作の度に保温表示温度が低下する違和感をなくすことができる。
【００２６】
また、その結果、湯温表示の急な低下による保温性能に対する疑念も解消される。
【００２７】
（４）  請求項４の発明
この発明の電気ポットは、湯沸しおよび魔法瓶保温が可能な断熱構造の内容器と、該内容器内の湯の保温温度を設定する保温温度設定手段と、通常保温時において上記内容器を加熱する保温加熱手段と、通常保温時および魔法瓶保温時において上記内容器の底部を介して上記内容器内の湯温を検出する湯温検出手段と、通常保温時および魔法瓶保温時において上記湯温検出手段で検出された内容器内の湯温を表示する湯温表示手段と、上記内容器の通常保温状態と魔法瓶保温状態とを任意に選択することができる保温選択手段とを備え、上記湯温表示手段の湯温表示用の閾値を上記通常保温時と上記魔法瓶保温時とで異ならせてなる電気ポットであって、上記保温選択手段により、上記内容器の保温状態が通常保温状態から魔法瓶保温状態に切換えられた時には、同切換時から上記湯温検出手段により検出される湯温が当該新たな魔法瓶保温状態の湯温表示用の閾値を越えるまでの間は、上記湯温表示手段が当該切換前の通常保温状態における保温温度を表示するようにしたことを特徴としている。
【００２８】
したがって、該構成によると、保温状態が通常保温状態から魔法瓶保温状態に移行し、保温温度表示のための閾値が変更（高い状態から低い状態）になったとしても、上記湯温検出手段により検出される実際の湯温が、切換えられた新たな魔法瓶保温状態の閾値を越えるまでの間の相当な時間は、それまでの通常保温状態における保温温度が表示されるようになり、通常保温状態から魔法瓶保温状態への保温選択手段の切換操作の度に保温表示温度が上昇する違和感をなくすことができる。
【００２９】
（５）  請求項５の発明
この発明の電気ポットは、湯沸しおよび魔法瓶保温が可能な断熱構造の内容器と、該内容器内の湯の保温温度を設定する保温温度設定手段と、通常保温時において上記内容器を加熱する保温加熱手段と、通常保温時および魔法瓶保温時において上記内容器の底部を介して上記内容器内の湯温を検出する湯温検出手段と、通常保温時および魔法瓶保温時において上記湯温検出手段で検出された内容器内の湯温を表示する湯温表示手段と、上記内容器の通常保温状態と魔法瓶保温状態とを任意に選択することができる保温選択手段とを備え、上記湯温表示手段の湯温表示用の閾値を上記通常保温時と上記魔法瓶保温時とで異ならせてなる電気ポットであって、上記保温選択手段により、上記内容器の保温状態が魔法瓶保温状態から通常保温状態に切換えられた時には、同切換時から上記湯温検出手段により検出される湯温が当該新たな通常保温状態の湯温表示用の閾値を越えるまでの間は、上記湯温表示手段が当該切換前の魔法瓶保温状態における保温温度を表示するようにしたことを特徴としている。
【００３０】
したがって、該構成によると、保温状態が魔法瓶保温状態から通常保温状態に移行し、保温温度表示のための閾値が変更（低い状態から高い状態）になったとしても、上記湯温検出手段により検出される実際の湯温が、切換えられた新たな通常保温状態の閾値を越えるまでの間の相当な時間は、それまでの魔法瓶保温状態における保温温度が表示されるようになり、魔法瓶保温状態から通常保温状態への保温選択手段の切換操作の度に保温表示温度が低下する違和感をなくすことができる。
【００３１】
また、その結果、湯温表示の急な低下による保温性能に対する疑念も解消される。
【発明の効果】
【００３２】
以上の結果、本願発明の電気ポットによると、湯温が内容器上下位置によって相当に異なる魔法瓶保温時とそうでない通常保温時の何れの場合にも適正な実湯温を表示することができ、またそれら相互の保温状態の切換えに際して、ユーザーに違和感を与えることなく、かつ電気ポットの保温性能自体に疑念を抱かせることもなく、可及的に実際の湯温に近い保温温度の表示を相互の連続性を持たせて行うことが可能となる。
【発明の実施の形態】
【００３３】
以下、添付の図面を参照して、先ず本願発明の電気ポットの、後に述べる各実施の形態に共通な電気ポット本体部および制御装置部の構成と作用について説明する。
【００３４】
（電気ポット本体部の構成）
図１ないし図３には、後述する本願発明の各実施の形態に共通な電気ポットの本体および要部の構成が示されている。
【００３５】
この電気ポットは、先ず図１および図２に示すように、貯湯用の内容器３を備えた容器本体１と、該容器本体１の上部側開口部を開閉する蓋体２と、上記内容器３を湯沸し時において加熱する加熱手段である湯沸しヒータ４Ａと、上記内容器３を保温時において加熱する加熱手段である保温ヒータ４Ｂと、上記内容器３内の湯を外部へ給湯するための給湯通路５と、該給湯通路５の途中に設けられた実流量計測用の流量センサ８０と、ＡＣ電源が接続されている状態において上記給湯通路５を介して上記内容器３内の湯を外部に送り出す電動給湯ポンプ６と、ＡＣ電源が接続されていない状態において上記給湯通路５を介して内容器３内の湯を外部に送り出すエア式の手動給湯ポンプ１８とを備えて構成されている。
【００３６】
上記容器本体１は、外側面部を構成する合成樹脂製の筒状の外ケース７と、内側面部を構成する上記内容器３と、上記外ケース７と内容器３とを上部側で一体に結合固定する合成樹脂製の環状の肩部材８と、底面部を構成する合成樹脂製の皿状の底部材９とからなっている。
【００３７】
上記内容器３は、ステンレス製の有底円筒形状の内筒１０と、同じくステンレス製の円筒形状の外筒１１との間に真空断熱空間を設けた保温性能の高い真空二重壁構造の断熱構造体からなっており、その底部には、外周部を除いて上記内筒１０の底面部のみにより構成された１枚板部３ａが形成されている。該１枚板部３ａは若干上方に高く突出して成形されていて、その下面側には、上記湯沸しヒータ４Ａと保温ヒータ４Ｂ（例えば雲母板にワット数の異なる２組の発熱体を保持させたマイカヒータよりなる）が取り付けられている。
【００３８】
上記内容器３の上端部には、上記内筒１０側の上端部を中心軸方向に向けて絞り加工したヒートキープ構造の小径の給水口３ｂが形成されている。また符号１２は、上記内容器３の温度（換言すれば、内容器３内の湯の温度）を検出する湯温検出手段として作用する底センサ（湯温センサ）であり、サーミスタよりなっている。さらに、符号１３は上記内容器３の満水位ＷＬ2を表示する凸状の満水位表示部である。また、ＷＬ1は低水位（１／２水位）を示している。
【００３９】
上記蓋体２は、合成樹脂製の上板１４と該上板１４に対して外周縁が結合された合成樹脂製の下板１５とからなっており、上記肩部材８の後部に設けられたヒンジ受け１６に対してヒンジピン１７を介して上下方向に開閉自在且つ着脱自在に支持されている。
【００４０】
この蓋体２には、ＡＣ電源が接続されていない状態でも上記給湯通路５を介して外部への給湯が可能なように、手動押圧操作により圧縮作動されるエア式の手動給湯ポンプ１８が配設されている。該手動給湯ポンプ１８は、上記蓋体２の略中央部に形成された円筒部１９内に配設されたベローズタイプのものとされており、押圧カバー２０Ａと押圧板２０Ｂを介して蛇腹構造のベローズ２０Ｃを下方に押圧操作することにより、ベローズ２０Ｃ内の加圧空気２０Ｄが空気吹込口を介して内容器３内に吹き込まれ、該加圧空気の吹き込み圧力によって内容器３内のお湯が給湯通路５を介して外部へ押し出されるようになっている。また、２０Ｅはベローズ２０Ｃの上方への復元バネ、１５Ａは下板１５側のベローズ支持板である。なお、符号２１ａ〜２１ｄは、下方から上方に向けて相互に連通した蓋体２の蒸気排出通路、２２は同蒸気排出通路２１ａ〜２１ｄの蒸気導出部２１ａ側途中に配設された転倒止水弁である。
【００４１】
上記蓋体２における下板１５の下面には、金属製の内カバー部材２３が固定されており、該内カバー部材２３の外周縁には、上記蓋体２の閉蓋時において上記内容器３の給水口３ｂの上面に圧接される耐熱ラバー製のシールパッキン２４が設けられている。
【００４２】
上記給湯通路５の上流端側である上記内容器３の下部位置には、内容器３側湯導入筒６ａ、給湯ポンプ側湯吸入口６ｂを介して直流型の電動給湯ポンプ６が配設されており、この給湯通路５においては上記湯導入筒６ａを介して湯吸入口６ｂより吸入された湯が当該電動給湯ポンプ６のポンピング作用により、その吐出口６ｃから吐出され、同給湯通路５の直管部５ｂを経て、上記流量センサ８０内の流量検出通路を通り、転倒止水弁側連結パイプ５ｃから外部への湯注出口５ｄに導かれる。
【００４３】
さらに、符号３５は、後述する各種スイッチ類の操作面や液晶表示部の表示面を備えた操作パネル部、５１ａは、マイコン制御部６０や以下に述べる各種スイッチ類３８〜４１，４２，４３、液晶表示装置（駆動部）等を備えたマイコン基板、５１は、液晶表示部４７の支持部材、５０は、上記電動給湯ポンプ６の駆動回路や湯沸しヒータ４Ａ、保温ヒータ４Ｂの加熱制御回路、安定化直流電源回路等を備えた電源基板である。
【００４４】
上記操作パネル部３５には、給湯スイッチ３８、給湯ロック解除スイッチ３９、再沸騰／保温選択スイッチ４０、おやすみタイマースイッチ４１、定量給湯モード選択時における給湯量設定用アップダウンスイッチ４２，４３、再沸騰表示用ＬＥＤ４４、保温動作表示用ＬＥＤ４５、給湯ロック解除表示用ＬＥＤ４６、液晶表示部４７等が設けられている。
【００４５】
上記液晶表示部４７には、例えば時刻／時間／湯温／作動状態等兼用表示部４７ａ、保温設定温度表示部４７ｂ、まほうびん保温表示部４７ｃが設けられており、各種の便利な情報表示がなされるようになっている。
【００４６】
この電動給湯型の電気ポットは、上記給湯スイッチ３８を押し続ける限り、連続的に上記電動給湯ポンプ６を駆動して湯を注出できる連続給湯モードと、給湯スイッチ３８を押し続けても、予めアップダウンスイッチ４２，４３で設定した所定量の湯を注出すると上記電動給湯ポンプ６が停止する定量給湯モードとの２種の給湯モードを備えて構成されている。
【００４７】
そして、それに使用される流量センサ８０は、例えば回転支軸８１の外周に筒状のハブを介して螺旋状の回転スクリュー羽根８２を遊嵌し、それらを給湯通路５の直管部５ｂの上端に嵌合筒８３を介して嵌合固定して構成されている。
【００４８】
（制御回路部の構成）
次に図３は、上記構成の電気ポット本体における制御回路部の構成を示すブロック図である。
【００４９】
図３中、符号５７は例えば平滑コンデンサおよび電源ＩＣよりなり、マイコン制御部６０および加熱制御部５４、ポンプ電源部５５等に直流電源を供給する直流安定化電源部、また５４は湯沸しヒータ４Ａおよび保温ヒータ４ＢのＯＮ，ＯＦＦ制御用の加熱制御部、４Ａ，４Ｂは上述した湯沸しヒータ４Ａおよび保温ヒータ４Ｂよりなる加熱手段、３８〜４３は上述の給湯スイッチ他のスイッチ、６は上述の直流型の電動給湯ポンプである。
【００５０】
上記湯沸しヒータ４Ａは、例えば上記マイコン制御部６０から、上記加熱制御部５４に湯沸しヒータＯＮ信号が出力されると、例えば図示しないトランジスタを介して電源リレーを作動させ、それに対応して電源スイッチがＯＮになることにより、駆動される。
【００５１】
また、上記保温ヒータ４Ｂは、上記マイコン制御部６０から、上記加熱制御部５４に保温ヒータＯＮ信号が出力されると、例えば図示しないトランジスタがＯＮになることにより、トライアックを駆動させて駆動される。
【００５２】
また、上記マイコン制御部６０には、さらに液晶表示部４７、再沸騰表示用ＬＥＤ４４、保温動作表示用ＬＥＤ４５、給湯ロック解除表示用ＬＥＤ４６等の各種ＬＥＤ表示部や給湯スイッチ３８、再沸騰／保温選択スイッチ４０、給湯ロック解除スイッチ３９、おやすみタイマースイッチ４１等の各種操作部や底センサ（サーミスタ）１２、流量センサ８０などの各種センサー部等が、各々図示しない入出力ポートを介して接続されている。
【００５３】
そして、以上の電気ポットでは、湯沸時には上記湯沸しヒータ４Ａを使用して高加熱出力で速やかに沸とう状態まで加熱した後に、ブザー音による沸とう報知（湯沸し完了報知）を行って湯沸しヒータ４ＡをＯＦＦにし、その後、保温工程に移行する。
【００５４】
そして、同保温工程では、上記底センサ（湯温センサ）１２により検出された実際の湯温Ｔが上記保温選択スイッチ４０およびマイコン制御部６０を中心とする保温温度設定手段によって設定された第１又は第２の設定保温温度９８℃，９０℃に対応した温度になると、上記液晶表示部４７の湯温表示部に対応する湯温を表示するが、本実施の形態の場合、上述のように内容器３が保温性能の高い真空２重構造の魔法瓶タイプとなっているので、例えば上記低温側第２の設定保温温度９０℃が選択された場合、沸とう完了時の温度１００℃から同第２の設定保温温度９０℃になるまでの湯温の低下には相当の時間がかかる（例えば２時間強程度）。
【００５５】
したがって、それまで湯温を表示できないとなると、ユーザーは不安になる。
【００５６】
そこで、同問題に対し、本願発明では、例えば図６、図７に示すように、上記保温ヒータ４ＢがＯＮ，ＯＦＦ制御され、かつ上記第１の設定保温温度９８℃、第２の設定保温温度９０℃の何れかに各々設定可能な通常保温状態および上記保温ヒータ４ＢがＯＦＦの魔法瓶保温状態何れの場合にも、図示１００℃，９８℃，９５℃，９０℃以下５℃間隔で、１０℃までの多段階の保温温度（湯温）の表示を可能とし、できるだけ細かい湯温表示を行えるようにしている。
【００５７】
また、上記保温ヒータ４ＢがＯＦＦの魔法瓶保温の場合、自然対流により内容器内の湯温分布が上下方向の位置によって相当に異なってくるにも拘わらず、一般に湯温検出手段である底センサ１２は、当該内容器３の底部の低い湯温を検出しているために、当該検出された湯温が実際の平均湯温よりも低くなる。従って、これをそのまま表示したのでは、ユーザーが違和感を感じ、さらには当該電気ポットの保温性能自体に疑念を抱く。
【００５８】
そこで、これを補正するために、例えば図６に示すように、上記魔法瓶保温時には、上記通常保温時の場合に比べて保温温度表示のための閾値を下げて、実際の底センサ１２の検出値よりも高く表示するようにしている。これにより、上記実際の湯温との検出誤差が補正され、適切な湯温を違和感なく表示でき、保温性能の信頼性が維持される。
【００５９】
なお、これら２種の閾値の関係は、例えば上記図７のテーブルに示されるように、１０℃レベルから１００℃までの範囲で、上記底センサ１２自体の検出特性を考慮して適切に設定されている。
【００６０】
ところが、先にも述べたように、そのようにすると、今度は上記通常保温状態から魔法瓶保温状態、またその逆の状態の何れの切換時にも実際の湯温と異なる表示湯温の変化を招いてユーザーが違和感を感じ、特に後者のように表示温度が急に低下する場合には、さらに当該電気ポットの保温性能自体に疑念を抱かせる難点が生じる。そこで、本願発明は、これに対しても以下の各実施の形態に示すような適切な対応を採っている。
【００６１】
なお、上記多段階の保温表示温度１００℃，９８℃，９５℃，９０℃〜１０℃各々の湯温表示は、それぞれ上記２種の保温状態に応じて、図７に示されるような所定の設定基準温度幅（上下温度幅）を有して表示されるようになっている。
【００６２】
そして、その上下温度範囲内の温度は、全て同一温度で表示される。
【００６３】
（実施の形態１に係る保温中の湯温表示制御）
先ず、図４は、上述のように構成された電気ポット本体に適用される本願発明の実施の形態１に係る電気ポットの保温中における湯温表示制御の内容を示すフローチャートである。
【００６４】
すなわち、まず最初にステップＳ1で、現在の状態が、湯沸しヒータ４ＡがＯＦＦで、保温動作表示用ＬＥＤ４５が点灯している保温中（保温ヒータ４ＢのみがＯＮ動作している時）であるか否かを判定する。その結果、ＮＯの同保温中でない時は、そのまま本制御を終了する。他方、ＹＥＳの保温中である時は、次にステップＳ2に進んで、上述の保温選択スイッチ４０がＯＮ操作されたタイミングであるか否かを判定し、保温選択スイッチ４０がＯＮ操作されたタイミングのＹＥＳの場合には、続くステップＳ3で、上述のタイマーをスタートさせ、その後、ステップＳ4で保温温度を表示するための現在の湯温Ｔを測定する。
【００６５】
次にステップＳ5で、保温温度表示のための閾値（図６参照）が変更された否かを判定し、閾値が変更されなかったＮＯの時は、その後、そのまま本制御を終える。他方、ＹＥＳの閾値が変更された時は、さらにステップＳ6に進んで、上記タイマーの所定の設定カウント値がカウントアップしたか否か、すなわち所定の設定時間（例えば５分）が経過したか否かを判定し、同時間が経過したＹＥＳの時に初めて、ステップＳ7に進んで上記保温温度の表示を変更する。
【００６６】
この結果、例えば「通常保温状態から魔法瓶保温状態」又はその逆の状態に移行し、図６に示す保温温度表示のための閾値が変更（高い状態から低い状態又は低い状態から高い状態）になったとしても、直ちにではなく所定時間（５分）は、それまでの保温状態における保温温度が表示されるようになり、保温選択スイッチ４０の操作の度に保温温度が変わる違和感をなくすことができる。また、その結果、湯温表示の急な低下による保温性能に対する疑念も解消される。
【００６７】
（変形例）
なお、以上の構成では、例えば通常保温状態から魔法瓶保温状態又はその逆の状態の何れの方向に移行した場合にも、同じ所定時間（５分）内は、それまでの保温状態における保温温度が表示されるようにした。
【００６８】
しかし、前者の通常保温状態から魔法瓶保温状態へ移行される場合は、本来保温ヒータ４ＢがＯＮの状態からＯＦＦの状態に移行し、実際の湯温Ｔが緩やかに低下する場合であるのに対し、魔法瓶保温状態から通常保温状態に切換えられる後者の場合には、保温ヒータ４ＢがＯＦＦの状態からＯＮの状態に移行し、実際の湯温Ｔが所定の変化率で上昇する場合である。
【００６９】
したがって、余り長い時間内、上記低温状態の湯温をそのまま表示していたのでは、実際の湯温Ｔと表示されている湯温との差が大きくなりすぎて、今度は上記所定時間経過後の温度表示に違和感を招く問題も考えられる。
【００７０】
そこで、上記後者の場合には、前者の場合の所定時間（５分）に比較して短かい所定時間（例えば３分）に設定して、当該問題を生じさせないようにする構成も採用される。
【００７１】
（実施の形態２に係る保温中の湯温表示制御）
次に、図５および図６は、前述のように構成された電気ポット本体に適用される本願発明の実施の形態２に係る電気ポットの保温中における湯温表示制御の内容を示すフローチャートである。
【００７２】
すなわち、まず最初にステップＳ1で、現在の状態が、湯沸しヒータ４ＡがＯＦＦであり、保温動作表示用ＬＥＤ４５が点灯している保温中（保温ヒータ４ＢのみがＯＮ動作している時）であるか否かを判定する。その結果、ＮＯの同保温中でない時は、そのまま本制御を終了する。他方、ＹＥＳの保温中である時は、次にステップＳ2に進んで、上述の保温選択スイッチ４０により選択されている保温状態が上述の９８℃設定保温又は９０℃設定保温何れかの通常保温状態であり、その何れかの通常保温状態が、最終的なセット状態であると考えても良いだけの十分な時間、例えば１０分以上続いているか否かを判定し、同設定保温温度９８℃又は９０℃の通常保温状態が１０分以上続いているＹＥＳの場合には、続くステップＳ3で、その保温温度（９８℃又は９０℃）を基準温度としてセットし、その後は同保温温度を表示するようにする。
【００７３】
次にステップＳ4で、上述の保温選択スイッチ４０がＯＮ操作されたか否か、つまり上記保温状態の切換えが行われた否かを判定し、同保温選択スイッチ４０がＯＮされた時は、さらにステップＳ5に進んで、その都度上記基準値設定用タイマーのそれまでのカウント値をリセットし、さらにステップＳ6に進んで現在の湯温Ｔを測定する。
【００７４】
そして、続くステップＳ7で、同ステップＳ6で測定された湯温Ｔが、上記保温選択スイッチ４０により切換えられた保温状態の保温温度表示用の閾値を越えたか否かを判定し、閾値を越えているＹＥＳの時には、さらにステップＳ8に進んで上記それまでの保温温度の表示を変更する。他方、同閾値を越えていないＮＯの時は、そのまま本制御を終える。
【００７５】
この結果、例えば保温状態が「通常保温状態から魔法瓶保温状態」に移行し、保温温度表示のための閾値が変更（高い状態から低い状態）になったとしても、同切換時から上記湯温検出手段により検出される湯温が当該新たな魔法瓶保温状態の湯温表示用の閾値を越えるまでの間は、上記湯温表示手段には当該切換前の通常保温状態におけるセットされた保温温度が表示されるようになる。
【００７６】
また保温状態が「魔法瓶保温状態から通常保温状態」に移行し、保温温度表示のための閾値が変更（低い状態から高い状態）になったとしても、同切換時から上記湯温検出手段により検出される湯温が当該新たな通常保温状態の湯温表示用の閾値を越えるまでの間は、上記湯温表示手段には当該切換前の魔法瓶保温状態におけるセットされた保温温度が表示されるようになる。
【００７７】
そのため、上記保温選択スイッチ４０の切換操作の度に保温温度が変わる違和感をなくすことができる。また、その結果、湯温表示の急な低下による保温性能に対する疑念も解消される。
【図面の簡単な説明】
【００７８】
【図１】本願発明の各実施の形態に共通な電気ポット本体部分の構成を示す右側方から見た中央縦断面図である。
【図２】同電気ポット本体部分の平面図である。
【図３】同電気ポット本体部分の制御ブロック回路図である。
【図４】本願発明の実施の形態１に係る保温中の湯温表示制御の内容を示すフローチャートである。
【図５】本願発明の実施の形態２に係る保温中の湯温表示制御の内容を示すフローチャートである。
【図６】同制御で使用される湯温表示の閾値表である。
【図７】本願発明の前提となる電気ポットの保温状態と保温温度表示用の閾値の関係を示す図である。
【符号の説明】
【００７９】
１は容器本体、２は蓋体、３は内容器、４Ａは湯沸しヒータ、４Ｂは保温ヒータ、５は給湯通路、６は電動給湯ポンプ、７は外ケース、１０内筒、１１は外筒、１２は底センサ、１８は手動給湯ポンプ、４７は液晶表示部、４７ｂは保温設定温度表示部、６０はマイコン制御部、８０は流量センサである。
【図１】
0003617486.tif 000002
【図２】
0003617486.tif 000003
【図３】
0003617486.tif 000004
【図４】
0003617486.tif 000005
【図５】
0003617486.tif 000006
【図６】
0003617486.tif 000007
【図７】
0003617486.tif 000008